(57)【要約】【課題】読書や情報収集を、そのために用いられる手段を露出させることなく行なえるカットクロスを提供することを課題とする。【解決手段】被施術者Ｐに、その頭部を露出させた状態で装着されるカットクロス１であって、前記被施術者に装着された状態において、前記被施術者の前方に位置させられる部位に、窓部１ｄが形成されているとともに、前記カットクロスの裏面に、前記窓部を覆う透明なカバー２を装着してなることを特徴とする。【選択図】図２
2014188630.tif 000002
【特許請求の範囲】
【請求項１】
理容や美容の施術の際に、被施術者に、その頭部を露出させた状態で装着されるカットクロスであって、前記被施術者に装着された状態において、前記被施術者の前方に位置させられる部位に、窓部が形成されているとともに、前記カットクロスの裏面に、前記窓部を覆う透明なカバーを装着してなることを特徴とするカットクロス。
【請求項２】
前記窓部は、縦長に形成されているとともに、その下部に、幅広部が形成されていることを特徴とする請求項１に記載のカットクロス。
【請求項３】
前記カバーの下端縁に、前記被施術者の左右方向に沿う直線部が形成されていることを特徴とする請求項１または請求項２に記載のカットクロス。
【請求項４】
前記カバーが、前記カットクロスに、着脱手段を介して着脱可能に装着されていることを特徴とする請求項１ないし請求項３の何れかに記載のカットクロス。
【請求項５】
前記着脱手段が、ホックであることを特徴とする請求項４に記載のカットクロス。
【請求項６】
前記着脱手段が、ボタンであることを特徴とする請求項４に記載のカットクロス。
【請求項７】
前記着脱手段が、面ファスナーであることを特徴とする請求項４に記載のカットクロス。
【請求項８】
前記着脱手段が、線ファスナーであることを特徴とする請求項４に記載のカットクロス。
【請求項９】
前記カバーが、合成樹脂板によって形成されていることを特徴とする請求項１ないし請求項８の何れかに記載のカットクロス。
【請求項１０】
前記カバーの下端部に、前記窓部から下方に垂下した舌片が設けられていることを特徴とする請求項１ないし請求項９の何れかに記載のカットクロス。
【発明の詳細な説明】
【技術分野】
【０００１】
本発明は、理容や美容の施術の際に、被施術者に、その頭部を露出させた状態で装着されるカットクロスに関するものである。
【背景技術】
【０００２】
一般に、理容や美容の施術の際には、特許文献１に示されるように、被施術者に、その頭部を露出させた状態でカットクロスを装着することが行なわれている。【０００３】
このカットクロスは、施術に際して落下する切り取られた髪の毛や、洗髪や毛染めに用いられる薬液等が、前記被施術者の服等にかかることを防止するために用いられるもので、不透明若しくは半透明の柔らかい材料によって形成されていることが多い。
【先行技術文献】
【特許文献】
【０００４】
【特許文献１】特開２０１１−１７１５４号公報
【発明の概要】
【発明が解決しようとする課題】
【０００５】
ところで、前述した従来のカットクロスにおいては、つぎのような改善すべき問題点が残されている。【０００６】
すなわち、理容や美容の施術には、時間を要するために、施術者はその施術中、前記カットクロスを装着した状態で過ごさなければならない。
そのために、被施術者は、前記カットクロスの横から腕を出し、このカットクロスの前に雑誌等を保持し、この雑誌を読みながら施術の終了を待っている。【０００７】
この場合、前記カットクロスから出した腕や手、そして、保持する雑誌が露出させられていることにより、これらに、前述した切り落とされた髪の毛や薬液や水等がかかり、露出した腕や手、雑誌等を汚してしまうといった不具合が発生することが想定される。【０００８】
また、近年普及している携帯電話やタブレット等の情報端末を見ながら時間つぶしをする場合も増えており、この場合に、前述した不具合が生じた場合には、前述した携帯電話やタブレット等の情報端末が、耐薬液性や耐水性に乏しく、機器の損傷を招いてしまうこともある。【０００９】
本発明は、このような従来の問題点に鑑みてなされたもので、読書や情報収集を、そのために用いられる手段を露出させることなく行なえるカットクロスを提供することを解決課題とする。
【課題を解決するための手段】
【００１０】
本発明のカットクロスは、前述した課題を解決するために、理容や美容の施術の際に、被施術者に、その頭部を露出させた状態で装着されるカットクロスであって、前記被施術者に装着された状態において、前記被施術者の前方に位置させられる部位に、窓部が形成されているとともに、前記カットクロスの裏面に、前記窓部を覆う透明なカバーを装着されていることを特徴とする。【００１１】
このように構成されたカットクロスは、被施術者の首から下を覆うようにして被施術者へ装着されて、この被施術者の衣服等を保護する。【００１２】
読書や情報収集を行なう場合には、そのための雑誌や機器を前記カットクロスの内側へ入れ、これらの雑誌や機器の上端部を、前記窓部を覆う前記カバーの下端部に突き当てて、このカバーを前方斜め上方へ持ち上げる。【００１３】
このような操作により、前記カバーが、その上端部を中心として上方へ回動させられて、前記雑誌や機器に対向させられる。【００１４】
この結果、前記被施術者は、前記カバーを介して前記雑誌や機器を透視することができる。
したがって、これらの雑誌や機器をカットクロスの内側に保持した状態で視認することができ、これらの雑誌や機器を前記カットクロスによって覆った状態で，読書や情報収集を行なうことができるとともに、前記雑誌や機器の損傷を防止することができる。【００１５】
前記窓部は、縦長に形成し、その下部に、幅広部を形成することが好ましい。
このような構成とすることにより、前記窓部の視認可能範囲を縦方向に確保し、たとえば、携帯電話やタブレットの画面を縦長の状態で使用する場合に好適な使用が可能となる。
また、前記幅広部により、前述した視認可能範囲を横方向に確保し、携帯電話やタブレットを横長の状態で使用する場合に、その視認性を高めることができる。【００１６】
前記カバーの下端縁に、前記被施術者の左右方向に沿う直線部を形成した構成とすることもできる。
このような構成とすることにより、前記カバーの下端部を、このカバーの下端部に当接させられる雑誌や機器との当接部を直線状にし、これらの雑誌や機器によってカバーを持ち上げる際に、このカバーの左右へのずれを抑制することができる。【００１７】
したがって、前記カバーを、前記雑誌や機器に確実に対峙させて、前記カバーを通した前記雑誌や機器の視認性を確保することができる。
そして、前記カバーの下端部に、前記窓部との接続部から下方へ垂下する舌片を設けておくことにより、前述したようにカットクロスを持ち上げる際に、前記雑誌や機器の先端部分を、前記舌片と前記カットクロスとの間に挟み込まれるようにして差し込んで、前記カバーと前記雑誌や機器の先端部分との係合を確実に行なうことができる。
これによって、前述したカバーの持ち上げを一層容易にすることができる。【００１８】
前記カバーを、前記カットクロスに、着脱手段を介して着脱可能に装着することもできる。
このような構成とすることにより、前記カットクロスの洗浄時等において前記カバーを取り外しておくことにより、このカバーとカットクロスとの擦れによるカットクロスの損傷を防止することができる。【００１９】
また、前記カバーの透明性が劣化した場合に、このカバーを取り替えて視認性を回復することができる。【００２０】
そして、前記着脱手段は、ホック、ボタン、面ファスナー、線ファスナー等が用いられる。【００２１】
そして、前記カバーは、透明な合成樹脂板によって容易に形成することができる。
【発明の効果】
【００２２】
このように、本発明のカットクロスによれば、被施術者に装着した状態において、雑誌や、携帯電話やタブレット等の機器を前記カットクロスの内側から前記窓部に対向させて、この窓部を介して、前記雑誌や機器を視認することができる。
したがって、前記雑誌や機器を保護した状態で、これらからの情報収集を行なうことができる。
【図面の簡単な説明】
【００２３】
【図１】本発明の一実施形態にかかるカットクロスの展開図である。
【図２】本発明の一実施形態にかかるカットクロスを被施術者に装着した状態を示すもので、被施術者の右斜め前方から見た斜視図である。
【図３】本発明の一実施形態を示すもので、窓部の裏面を示す拡大図である。
【図４】本発明の一実施形態を示すもので、窓部の拡大縦断面図である。
【図５】本発明の一実施形態を示すもので、使用状態を示す窓部の縦断面を示す概略図である。
【図６】本発明の一実施形態にかかるカットクロスを被施術者に装着した状態を示すもので、被施術者の左斜め前方から見た斜視図である。
【図７】本発明の一実施形態にかかるカットクロスを被施術者に装着した状態を示すもので、被施術者の左斜め後方から見た斜視図である。
【図８】本発明の一実施形態を示すもので、窓部の裏面を示す拡大図である。
【図９】本発明の他の実施形態に係るカットクロスを示す斜視図である。
【図１０】本発明の他の実施形態に係るカットクロスの展開図である。
【図１１】本発明のたの実施形態に係るカットクロスのカバーを示す展開図である。
【発明を実施するための形態】
【００２４】
以下、本発明の一実施形態について、図面を参照して説明する。
図１において、符号１は、本実施形態に係わるカットクロスを示し、このカットクロス１は、後述する被施術者Ｐの首回りを取り囲むように円状に切り欠かれ、上部に不連続部Ｄを有する装着部１ａと、この装着部１ａの前記不連続部Ｄを挟んだ両側に連設され、前記被施術者Ｐの両肩から背面を覆う一対の背面被覆部１ｂと、前記装着部１ａおよび前記一対の上方被覆部１ｂの下方に連設されて、前記被施術者Ｐの前方および側方を覆う下方被覆部１ｃとを備えている。
【００２５】
前記カットクロス１は、ナイロン樹脂等の合成樹脂などからなる不透明または半透明のシートによって形成されており、その周辺部が全周にわたって折り返されるとともに一体化されていることにより補強されている。
【００２６】
そして、前記カットクロス１の、前記装着部１ａの下方には、この装着部１ａを前記被施術者Ｐの首回りを取り囲んで装着した際に、前記被施術者Ｐの前方に位置させられる部位、本実施形態においては、前記被施術者Ｐの腹部から胸部に至る領域内に対峙させられる部位に、窓部１ｄが形成されている。
【００２７】
この窓部１ｄは、図１および図３に示すように、略縦長となるように形成されているとともに、下部が、若干幅広となるように形成されている。
【００２８】
そして、前記窓部１ｄは、前記カットクロス１の裏面に一体に貼着されるカバー２によって覆われている。
このカバー２は、透明な合成樹脂プレートによって形成されて、前述したように前記窓部１ｃを閉塞するとともに、この窓部１ｄを通して、前記カットクロス１の内外を透視できるようにしている。
【００２９】
また、前記カバー２は、その下端部に、前記カットクロス１の幅方向に沿った直線部２ａが形成されている。
そして、本実施形態においては、図３および図４に示すように、前記カバー２の下端部は、前記窓部１ｄとの接続部よりも下方に垂下する舌片２ｂが形成されている。
【００３０】
さらに、前記装着部１ａの、前記不連続部Ｄに連続する各端部は、一端部の表面に他端部の裏面が重なるようになされ、この重畳部分に、前記両端部を着脱可能に連結する面ファスナー３が装着されている。
【００３１】
そして、前記装着部１ａの両端部の重畳量を調整して前記面ファスナー３によって相互に連結することにより、前記円状の切り欠きの大きさを、装着する被施術者Ｐの首回りの大きさに調整することができる。
【００３２】
ついで、このように構成された本実施形態に係わるカットクロス１の作用について説明する。
このカットクロス１は、一対の背面被覆部１ｂのそれぞれを、被施術者Ｐの両肩から背面にかけて被せた後に、前記装着部１ａを被施術者Ｐの首回りに、その前方から取り囲むようにして取り回し、その両端部を、前記被施術者Ｐの首の後方において重畳させて前記面ファスナー３によって連結することにより、被施術者Ｐに装着する。
【００３３】
前記カットクロス１は、前述したように前記被施術者Ｐに装着された状態において、その身体の首から下を覆って、この被施術者の衣服等を保護する。
【００３４】
この状態で理容や美容の施術がなされるのであるが、施術によって切り落とされる髪の毛や、洗髪時のシャンプーや毛染め時のカーラー液が、前記被施術者Ｐの被服等に付着することがなく、その保護がなされる。
【００３５】
そして、前記被施術者Ｐが、施術の最中に読書や情報収集を行なう場合には、そのための雑誌や機器（以下、これらを機器と略称し、符号Ｍで示す）を前記カットクロス１の内側へ入れ、この機器Ｍの上端部を、図３および図４（ａ）に示すように、前記窓部１ｄを覆う前記カバー２の下端の直線部２ａに突き当てて、このカバー２の下端部を前方斜め上方へ持ち上げる。
【００３６】
このような操作により、前記カットクロス１の、前記カバー２の下部に設けられている前記舌片２ｂと対峙された部位が、前記機器Ｍによって押されて前記舌片２ｂから離間され、さらに、前記機器Ｍを押し付けることにより、この機器Ｍの先端が、図４（ｂ）に示すように、前記舌片２ｂと前記カットクロス１（下方被覆部１ｃ）との隙間に差し込まれる。
これによって、前記カバー２の下端部が、前記機器Ｍの上端部によって押し上げられるとともに、前記カバー２の上端部近傍を中心として上方へ向かうように折り込まれ、かつ、カバー２の裏面に、前記機器Ｍが対向させられる（図５参照）。
【００３７】
これによって、前記機器Ｍが、前記窓部１ｄから、この窓部１ｄを覆って設けられた前記カバー２を介して、上方から透視可能となる。
【００３８】
この状態を、前記被施術者Ｐの左前方と左後方から見た状態を図６および図７に示す。
これらの図に示すように、被施術者Ｐは、前記カバー２の裏面に対向させられている前記機器Ｍを、前記カバー２を通して透視することができる。
【００３９】
したがって、前記被施術者Ｐは、前記機器Ｍをカットクロス１の内側に保持した状態で視認することができ、この機器Ｍの汚染や損傷を防止しつつ読書や情報収集を行なって、安心して施術時間を過ごすことができる。
【００４０】
そして、前記窓部１ｄの開口面積を、前記機器Ｍの大きさに合わせた最小限の大きさとすることにより、前記機器Ｍを視認できる範囲を最小限度に止めることができ、収集している情報を他の人に見られることを防止することができる。
【００４１】
また、前記窓部１ｄは、縦長に形成されていることから、縦長の機器Ｍからの情報収集を容易にし、また、その下部（前述した施術中の情報収集時には上方に位置する）に、幅広部が形成されていることから、横長の機器Ｍからの情報収集を容易にする（図８参照）。
【００４２】
前述したように、前記機器Ｍを前記カバー２の裏面に対向させる際に、前記このカバー２を、その下端部の直線部２ａに前記機器Ｍを当接させた状態で押し上げることから、前記カバー２の左右へのずれや回転が抑制されて、前述した機器Ｍと窓部１ｄとが確実に対向させられる。
ここで、本実施形態のように、前記カバー２の下部に舌片２ｂを形成しておくことにより、押し付けられる前記機器Ｍの先端部が、前記舌片２ｂとカットクロス１（１ｃ）との間に差し込まれ、これによって、前記機器Ｍと窓部１ｄとの位置決めが確実に行なわれる。
この結果、前述したカバー２の回動操作が円滑に行なえ、かつ、対向状態とした後にあっては、前記直線部２ａによって、前記カバー２と前記機器Ｍとの接触が直線となされ、前記カットクロス１（１ｃ）の滑りが抑制されて、安定した情報収集が可能となる。
【００４３】
なお、前記実施形態において示した各構成部材の諸形状や寸法等は一例であって、設計要求等に基づき種々変更可能である。
【００４４】
たとえば、前記実施形態においては、前記カバー２を前記カットクロス１に固定した例について示したが、前記カバー２を、前記カットクロス１に、着脱手段を介して着脱可能に装着することもできる。
【００４５】
このような構成とすることにより、前記カットクロス１の洗浄時等において前記カバー２を取り外しておくことにより、このカバー２とカットクロス１との擦れによる両者の損傷を防止することができ、あるいは、前記カバー２の透明性が劣化した場合に、このカバー２を取り替えて視認性を回復することができる。
【００４６】
そして、前記着脱手段は、ホック、ボタン、面ファスナー、線ファスナー等が用いられる。
【００４７】
また、前記カットクロス１の材料として、撥水性若しくは液不透過性を備えた布あるいは不織布を用いることも可能である。
【００４８】
また、図９ないし図１１に示すような実施形態とすることもできる。
本実施形態に係るカットクロス１１０は、窓部１２０を有している。
このカットクロス１１０は、前述した実施形態と同様に、ナイロン樹脂等の合成樹脂などから成る不透明または半透明のものである。
カットクロス１１０は、大人用、子供用に応じたサイズに形成され、また、袖無しでも、袖有りでも良い。
【００４９】
また、前記窓部１２０は、本実施形態では、前記カットクロス１１０の、被施術者Ｐが座った状態で膝上のあたりに形成されている。
【００５０】
図１０を用いて、本実施形態に係るカットクロス１１０を構成する窓部１２０について詳細に説明する。
例えば、図１０に示すように、カットクロス１１０に設けられた窓部１２０は、上辺１２１、底辺１２２、左側辺１２３および右側辺１２４を有する長方形から構成されている。
【００５１】
また、前記窓部１２０は、被施術者が雑誌を読むことができる程度の大きさであり、上辺１２１および底辺１２２の長さが、例えば約４５センチメートル、左側辺１２３および右側辺１２４の長さが、例えば約３０センチメートルである。
【００５２】
ただし、前記窓部１２０の上辺１２１、底辺１２２、左側辺１２３および右側辺１２４の長さは、上記した長さに限定されず、雑誌の大きさ、電子端末の大きさに応じて、被施術者Ｐの選択により、上辺１２１および底辺１２２を縮小することや、カットクロス１１０の両端まで拡張することも可能である。
【００５３】
また、前記窓部１２０は、上辺１２１および底辺１２２の長さが、左側辺１２３および右側辺１２４の長さより長い長方形に限定されず、上辺１２１および底辺１２２の長さが、左側辺１２３および右側辺１２４の長さより短い長方形でも良い。
さらに、前記窓部１２０の形状は、長方形に限定されず、例えば、正方形、円、楕円、星型、ハート型など種々変更可能である。
【００５４】
前記窓部１２０は、前記カットクロス１１０の内側が見えるような材料で形成されている。
例えば、窓部１２０の材料は、被施術者Ｐが雑誌の文章や写真など、または（公序良俗違反につき、不掲載）や携帯電話などの電子端末の画面を認識確認できる程度の透明性を有したアクリル製樹脂、または目の細かいメッシュ状の合成樹脂などから成る。
目の細かいメッシュ状の合成樹脂にすることで、特に夏場において、通気性が良いため、被施術者Ｐが快適にカット、パーマをされることができる。
【００５５】
また、前記窓部１２０は、平面的でなく、前記透明のアクリル製樹脂または目の細かいメッシュ状の合成樹脂などから成る立体的な反円盤状から構成されることも可能である。
この場合、カットされた髪の毛が窓部１２０の下方に落ちるため、雑誌を読む際、又は電子端末を操作確認する際に髪の毛が邪魔にならない。
【００５６】
さらに、前記窓部１２０は、文字や画像を拡大する効果を有するレンズまたはフィルムなどを用いて形成されても良い。
この場合、例えば、年配者が窓部１２０を通して新聞を読む際に、文字の見えにくさを緩和することができる。
【００５７】
図１１を用いて、本実施形態に係る窓付きカットクロス１１０を構成する窓部１２０を覆う窓用カバー１３０について詳細に説明する。
例えば、図１１に示すように、前記窓部１２０の表側に前記窓用カバー１３０が設けられている。ただし、前記カットクロス１１０の態様に応じて、前記窓部１２０の裏側に前記窓用カバー１３０を設けることは可能である。
【００５８】
前記窓用カバー１３０は、窓部１２０の上辺１２１、底辺１２２、左側辺１２３および右側辺１２４の外側の少なくとも何れかにボタン、平面ファスナーや職線ファスナーにより、前記カットクロス１１０に取り付けられる。
【００５９】
また、前記カバー３０は、前記窓部１２０全面を覆う１枚である必要はなく、例えば、前記窓部１２０の左側辺１２３および右側辺１２４または窓部１２０の上辺１２１および底辺１２２に其々取り付けることも可能である。
この場合、窓部１２０の左側辺１２３および右側辺１２４の両側部から、または窓部１２０の上辺１２１および底辺１２２の両側部から、窓用カバー１３０を所望幅になるように閉じることができる。
【００６０】
さらに、前記窓用カバー１３０は、用途に応じて、蛇腹式のカバーにすることも可能である。
【００６１】
そして、前記窓用カバー１３０の材料は、カットクロス１１０と同一のナイロン製の合成樹脂材料のものが一般的であるが、他の材料でも良い。また、窓用カバー１３０の色彩は、カットクロス１１０と同一の色彩でも他の色彩のものでも構わない。さらに、不透明または半透明であっても良い。
【００６２】
以上のように、本実施形態によるカットクロスは、カットクロス１１０の内側を見ることができる窓部１２０が設けられている。これにより、被施術者Ｐは、カットやパーマをされている最中に、カットクロス１１０の内側に雑誌や電子端末を持って、窓部１２０から雑誌を読むことや電子端末を操作確認することができる。
【００６３】
多忙なビジネスマンなどはカット、パーマをされている時間も電子端末を操作確認したいなど、理髪店、美容院などでカットされる時間を惜しむ者も多い。また、最近の若者の被施術者は、施術者とコミュニケーションを取りたがらず、黙っている者も多く、雑誌を読みたい、電子端末を操作確認したいとの要望も多く聞く。更には、被施術者が幼児の場合は、カットされる最中に椅子に大人しく座り続けることは略不可能であり、保護者は困惑している状況である。このような問題は、本実施形態の窓付きカットクロスを用いることで、全て解消することが可能であり、理髪店や美容院の施術者も時間が短縮でき、効率的にカット、パーマなどの施術をすることが可能となる。
【００６４】
また、本実施形態による窓付きカットクロスは、カットクロス１１０に窓部１２０を設け、この窓部１２０に窓用カバー１３０を設けている。これにより、雑誌を読まない、電子端末などを操作しない被施術者Ｐは、前記窓用カバー１３０によって窓部１２０を覆い、カットクロス１１０の内側を見えなくすることができる。このため、施術者は、被施術者Ｐの衣服などを確認することができず、被施術者Ｐのプライバシーを守ることができる。
【符号の説明】
【００６５】
１  カットクロス
１ａ  装着部
１ｂ  背面被覆部
１ｃ  下方被覆部
１ｄ  窓部
２  カバー
２ａ  直線部
２ｂ  舌片
３  面ファスナー
１１０  カットクロス
１２０  窓部
１２１  上辺
１２２  底辺
１２３  左側辺
１２４  右側辺
１３０  窓用カバー
Ｄ  不連続部
Ｍ  機器
Ｐ  被施術者
【図１】
2014188630.tif 000003
【図２】
2014188630.tif 000004
【図３】
2014188630.tif 000005
【図４】
2014188630.tif 000006
【図５】
2014188630.tif 000007
【図６】
2014188630.tif 000008
【図７】
2014188630.tif 000009
【図８】
2014188630.tif 000010
【図９】
2014188630.tif 000011
【図１０】
2014188630.tif 000012
【図１１】
2014188630.tif 000013
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
理容や美容の施術の際に、被施術者に、その頭部を露出させた状態で装着されるカットクロスであって、前記被施術者に装着された状態において、前記被施術者の前方に位置させられる部位に、窓部が形成されているとともに、前記カットクロスの裏面に、前記窓部を覆う透明なカバーが装着され、前記カバーの下端部に、前記窓部から下方に垂下した舌片が設けられていることを特徴とするカットクロス。
【請求項２】
前記窓部は、縦長に形成されているとともに、その下部に、幅広部が形成されていることを特徴とする請求項１に記載のカットクロス。
【請求項３】
前記カバーの下端縁に、前記被施術者の左右方向に沿う直線部が形成されていることを特徴とする請求項１または請求項２に記載のカットクロス。
【請求項４】
前記カバーが、前記カットクロスに、着脱手段を介して着脱可能に装着されていることを特徴とする請求項１ないし請求項３の何れかに記載のカットクロス。
【請求項５】
前記着脱手段が、ホックであることを特徴とする請求項４に記載のカットクロス。
【請求項６】
前記着脱手段が、ボタンであることを特徴とする請求項４に記載のカットクロス。
【請求項７】
前記着脱手段が、面ファスナーであることを特徴とする請求項４に記載のカットクロス。
【請求項８】
前記着脱手段が、線ファスナーであることを特徴とする請求項４に記載のカットクロス。
【請求項９】
前記カバーが、合成樹脂板によって形成されていることを特徴とする請求項１ないし請求項８の何れかに記載のカットクロス。
【国際調査報告】
2014188630.tif 000014
2014188630.tif 000015